(57)【要約】【課題】直交周波数分割多重方式の通信装置において、簡単な構成で消費電力の低減を図ることのできる技術を提供する。【解決手段】複数のサブキャリアの信号増幅を行う信号増幅手段（１０４）と、複数のサブキャリアの変調方式と符号化率のうち少なくとも１つの情報を基づいて決定される電力値以下となるように、複数のサブキャリアにおけるピーク送信電力を抑制するよう制御する電力制御手段（１１０，１１１）と、を備えることを特徴とする。【選択図】図３
2006173675.tif 000002
【特許請求の範囲】
【請求項１】
複数のサブキャリアを用いてデータを送信する直交周波数分割多重方式の通信装置であって、
前記複数のサブキャリアの信号増幅を行う信号増幅手段と、
前記複数のサブキャリアの変調方式と符号化率のうち少なくとも１つの情報を基づいて決定される電力値以下となるように、前記複数のサブキャリアにおけるピーク送信電力を抑制するよう制御する電力制御手段と、
を備えることを特徴とする通信装置。
【請求項２】
前記電力制御手段は、平均送信電力をほぼ一定に保持した状態で、前記複数のサブキャリアにおけるピーク送信電力を抑制するよう制御することを特徴とする請求項１の通信装置。
【請求項３】
前記所定の電力値に応じて前記信号増幅手段における消費電力を抑制するよう電源電圧を制御する電圧制御手段をさらに有することを特徴とする、請求項１または２に記載の通信装置。
【請求項４】
信号品質情報を取得する取得手段と、
前記データの符号化率を制御する符号化制御手段と、
前記データの変調方式を制御する変調制御手段と、
をさらに有し、前記信号品質情報を基に、前記符号化制御手段における符号化率と前記変調制御手段における前記複数のサブキャリアの変調方式とのうち少なくとも１つを変化させることを特徴とする請求項１乃至３のいずれか１項に記載の通信装置。
【請求項５】
複数のサブキャリアを用いてデータを送信する直交周波数分割多重方式の通信方法であって、
前記複数のサブキャリアの信号増幅を行う信号増幅工程と、
前記複数のサブキャリアの変調方式と符号化率のうち少なくとも１つの情報を基づいて決定される電力値以下となるように、前記複数のサブキャリアにおけるピーク送信電力を抑制するよう制御する電力制御工程と、
を備えることを特徴とする通信方法。
【発明の詳細な説明】
【技術分野】
【０００１】
本発明は、通信装置および通信制御方法に関するものである。
【背景技術】
【０００２】
近年、データ伝送の高速化を実現するため変調方式としてマルチキャリア伝送方式の一つである直交周波数分割多重（ＯＦＤＭ）方式が用いられてきている。ＯＦＤＭ方式は多数のサブキャリアを利用することによりデータ伝送の高速化を図った方式であるが、各々のサブキャリアの変調速度が抑制されていることにより、マルチパスに対して非常に耐性をもつと共に、帯域内の群遅延特性もほとんど顕在化しないため、回路の設計がしやすいという長所をもつ。なお、ＯＦＤＭ方式が採用されている通信システムの例として、ＩＥＥＥ８０２．１１ａやＩＥＥＥ８０２．１１ｇに準拠したシステムが既に知られている。
【０００３】
しかしながらＯＦＤＭ方式の信号においてはピーク電力と平均電力の差が大きく、しかも信号振幅特性に対して高い直線性（リニアリティ）が要求されることから、ピーク電力に対応した最大出力電力が十分に大きいパワーアンプを使用する必要があり、全体の消費電力が増えてしまうという問題があった。
【０００４】
この問題を解決するため、パワーアンプとして消費電力が少なく、必要なピーク電力に比べて出力のリニアリティが小さい信号に対し歪分をあらかじめ計算して補償する方法（プレディストーション）や、特許文献１のようにピーク電力出力時のみパワーアンプの電源電圧を上げる方法等により、リニアリティを確保する方法が提案されている。
【特許文献１】特開２００１−２９２０３４号公報
【発明の開示】
【発明が解決しようとする課題】
【０００５】
しかしながら、プレディストーションの方法を用いて低消費電力化を図る場合には、歪の計算をするためのディジタル回路の規模が大きくかつ非常に複雑になるという問題がある。一方、特許文献１の方法を用いる場合には、電源電圧を急峻に変化させる必要があるが、その際、電源雑音を低下させるための平滑化容量が大きいと実現が困難であるという問題がある。更に、急激な電源電圧の変化に伴うＤＣバイアスのずれによって信号波形が崩れるという問題があった。
【０００６】
本発明は上記従来技術の課題を解決するためになされたものでその目的とするところは、直交周波数分割多重方式の通信装置において、簡単な構成で消費電力の低減を図ることのできる技術を提供することにある。
【課題を解決するための手段】
【０００７】
上記の問題点を軽減するべく、本発明にかかる複数のサブキャリアを用いてデータを送信する直交周波数分割多重方式の通信装置は、複数のサブキャリアの信号増幅を行う信号増幅手段と、複数のサブキャリアの変調方式と符号化率のうち少なくとも１つの情報を基づいて決定される電力値以下となるように、複数のサブキャリアにおけるピーク送信電力を抑制するよう制御する電力制御手段と、を備えることを特徴とする。
【０００８】
また、本発明にかかる複数のサブキャリアを用いてデータを送信する直交周波数分割多重を用いた通信方式は、複数のサブキャリアの信号増幅を行う信号増幅工程と、複数のサブキャリアの変調方式と符号化率のうち少なくとも１つの情報を基づいて決定される電力値以下となるように、複数のサブキャリアにおけるピーク送信電力を抑制するよう制御する電力制御工程と、を備えることを特徴とする。
【発明の効果】
【０００９】
本発明によれば、簡単な回路構成で直交周波数分割多重方式での低消費電力化を行うことのできる技術を提供することができる。
【発明を実施するための最良の形態】
【００１０】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１１】
＜前提技術＞
ＩＥＥＥ８０２．１１ａやＩＥＥＥ８０２．１１ｇ規格のパワーアンプの出力はあらかじめ定められた平均電力の最大値か、パワーアンプがリニアリティを保持したまま増幅できる電力の最大値を信号のピーク電力値に合わせた時の平均電力で決定される。特にパワーアンプの出力が大きい場合、パワーアンプの出力が飽和点に近づき、消費電力は急激に大きくなる。そのためできるだけピーク電力を抑えたいと言う要求がある。
【００１２】
図１はＩＥＥＥ８０２．１１ａのパケットのヘッダからデータの最初の部分に対応する送信電力の相対値を示す図で、横軸の０〜８（マイクロ秒）の部分がショートプリアンブル、８〜１６（マイクロ秒）の部分がロングプリアンブル、１６〜１８（マイクロ秒）の部分がシグナルフィールド（パケット情報を格納）、１８（マイクロ秒）以降がデータである。図の縦軸は電力の相対値であり、０ｄＢ（基準値）はショートプリアンブル８チップの電力を平均した理論的な電力平均としてある。
【００１３】
このとき、平均電力と各シンボルにおけるピーク電力の比はショートプリアンブルでは２．０９ｄＢ、ロングプリアンブルでは３．１７ｄＢ、シグナルとデータでは最大で約１３ｄＢになる。
【００１４】
図２にデータ部におけるＯＦＤＭシンボルの一次変調別の電力値分布を示す。図２によると一次変調方式によらず電力値の分布はほとんど同じになり、信号レベルが平均電力の１１ｄＢ以上になるのは０.０１％台になる。そこでパワーアンプを含む送信系回路では平均電力値より１１ｄＢ程度上の信号までリニアリティを確保するため、パワーアンプには過剰な電力を供給しなくてはならず、全体の消費電力が増えてしまうという問題があった。
【００１５】
（第１実施形態）
本実施形態に係る通信装置の第１実施形態として、下記の構成を有する通信装置１００を例に挙げて説明する。
【００１６】
＜装置構成＞
図３は通信装置１００の送信系のブロック図である。図３において、１０１は符号化器であり所定の符号化率となるように符号化を行う。１０２は変調器であり、符号化された信号の変調を行う。なお、ＩＥＥＥ８０２．１１ａでは一次変調と二次変調に分けて変調されるが、ここでは双方を合わせたものを模式的に示してある。１０３は信号の出力ピークを制限するリミッタ、１０４は信号を増幅するパワーアンプ、１０５は送信と受信の信号を切替える送受切替スイッチ、１０６は誘電体フィルタである。１０７はアンテナであり電波の送受信を行う。１０８はＲＯＭであり、プログラムや後述する一次変調方式と符号化率の組み合わせにおけるピークアベレージ比等のパラメータを記憶している。１０９はＲＡＭであり、一時的にプログラムやパラメータが読み込まれる。１１０はＣＰＵであり、プログラムを実行することにより装置のコントロールを行う。
【００１７】
＜一次変調方式と符号化率の組み合わせにおけるピークアベレージ比の決定＞
ＩＥＥＥ８０２．１１ａやＩＥＥＥ８０２．１１ｇ規格においては一次変調として各サブキャリアに６４ＱＡＭ、１６ＱＡＭ、ＱＰＳＫ、ＢＰＳＫの４種類の変調を掛け合わせ、さらに二次変調としてＯＦＤＭ変調することによって伝送レートを向上させている。さらに、誤り耐性を変化させるための複数の符号化率をもち、伝搬環境に応じて各サブキャリアの一次変調方式と複数の符号化率の組み合わせを変えている。ここで一次変調として６４ＱＡＭ、１６ＱＡＭ、ＱＰＳＫ、ＢＰＳＫの４種類の変調を用いることによって、１シンボルでの各サブキャリアにおける情報量はそれぞれ６ビット、４ビット、２ビット、１ビットとなるため、それに伴って伝送レートも変化する。
【００１８】
通常、ＩＥＥＥ８０２．１１ａのパワーアンプ１０４としてピークアベレージ比（ＰＡＲ）は、図２の電力分布と６４ＱＡＭのときのピークアベレージ比とエラーレートの関係から１１ｄＢ程度とられている。なお、本実施形態におけるピークアベレージ比とは、ある１シンボル中の各キャリアにおける、出力電力の最大値の平均値に対する比を示している。
【００１９】
このときパワーアンプ１０４のピーク出力電力を２０ｄＢｍにすると平均出力電力は１０ｄＢｍ、１０ｍＷ程度となる。図４はあるパワーアンプの電源電圧と出力のリニアリティの関係を示した実測図である。同図において出力が１ｄＢコンプレッションされる入力の大きさは電源電圧Ｖｃｃ＝２．０Ｖで−２ｄＢｍ，Ｖｃｃ＝２．５Ｖで０ｄＢｍ，Ｖｃｃ＞３Ｖで１ｄＢである。
【００２０】
図５にＩＥＥＥ８０２．１１ａでのＯＦＤＭ通信時における、一次変調が１６ＱＡＭで符号化率Ｒ＝３／４の時の各ピークアベレージ比（以後ＰＡＲ）におけるＳＮ比とビットエラーレート(以後ＢＥＲ)の関係を示す。
【００２１】
図５のグラフより、ＰＡＲ＝１１ｄＢとＰＡＲ＝１０ｄＢの差は無視できる結果になっている事がわかる。そのため、一次変調が１６ＱＡＭで符号化率Ｒ＝３／４の場合、ＰＡＲは１０ｄＢとれば十分であることがわかる。このことからパワーアンプ１０４への入力として、リミッタ１０３における設定値を一次変調が６４ＱＡＭで符号化率Ｒ＝３／４の場合の設定値より１ｄＢ低く設定し、同時にパワーアンプ１０４の電源電圧を３．０Ｖから２．５Ｖに低減することが可能である。このとき、電源電流はほとんど変化しないことを考慮すると消費電力はほぼ電圧に比例することになるため、約１７％の消費電力の低減が可能である事がわかる。
【００２２】
図６に一次変調がＱＰＳＫで符号化率Ｒ＝３／４の時の各ＰＡＲにおけるＳＮ比とＢＥＲの関係を示す。
【００２３】
図６のグラフより、ＰＡＲ＝８ｄＢとＰＡＲ＝７ｄＢはほぼ同等のＳＮ比−ＢＥＲ特性になっていて、一次変調がＱＰＳＫで符号化率Ｒ＝３／４の場合、ＰＡＲは７ｄＢとれば十分であることがわかる。このことからパワーアンプ１０４への入力として、リミッタ１０３における設定値を一次変調が６４ＱＡＭで符号化率Ｒ＝３／４の場合の設定値より４ｄＢ低く設定し、同時にパワーアンプ１０４の電源電圧を３．０Ｖから２．０Ｖに低減することが可能である。このとき、上記と同様に電源電流はほとんど変化しないことを考慮すると、約３３％の消費電力の低減が可能である事がわかる。
【００２４】
同様にして求めた、一次変調方式と符号化率の組み合わせにおけるＰＡＲの最適値、および、それぞれに対応した電源電圧（出力に影響が出ない範囲での最低電圧）の値の一例を図７に示す。
【００２５】
＜装置の動作＞
図８に本実施形態における装置の動作のフローチャートを示す。
【００２６】
まず、初期状態の通信装置１００においては、あらかじめ所定の動作手順（ここではＩＥＥＥ８０２．１１ａの仕様）に従い、符号化率および変調方式が、ＣＰＵ１１０により符号化器１０１および変調器１０２に対し所定の符号化率および変調方式が設定されている。なお、ここでは、一次変調がＱＰＳＫで符号化率Ｒ＝３／４に設定されているとする。また、リミッタ１０３は初期状態におけるピークアベレージ比の値（ここでは１１ｄＢ）が設定されており、リミッタ１０３に入力された信号は、そのままリミッタ１０３から出力される。さらに、送受切替えスイッチ１０５は送信時には送信回路側、受信時には受信回路側に時分割接続するよう構成されており、受信時にはアンテナで受信した信号は受信回路側へ伝送され、送信時には送信回路内の増幅回路で増幅された信号はアンテナ１０７へ伝送される。また、ＲＯＭ１０８には、例えば図７に示すような、一次変調方式と符号化率の組み合わせにおけるピークアベレージ比の値および電源電圧の値が設定されたテーブルが記憶されている。
【００２７】
ステップＳ１０１では、通信装置１００において送信されるべき信号の生成を監視している。信号が生成されるとステップＳ１０２に進み、生成されないと信号生成の監視を続ける。
【００２８】
ステップＳ１０２では、ＣＰＵ１１０は、その時点における符号化器１０１および変調器１０２に設定されている符号化率および変調方式の情報を取得する。
【００２９】
ステップＳ１０３では、ＣＰＵ１１０は、ステップＳ１０２で取得された符号化率および変調方式に対応したピークアベレージ比の値および電源電圧の値をＲＯＭ１０８に記憶されているテーブルから選択する。
【００３０】
その後、ＣＰＵ１１０は、ステップＳ１０３で取得したピークアベレージ比の値（ここでは７ｄＢ）および電源電圧の値（ここでは２．０Ｖ）となるよう、リミッタ１０３および電源部１１１に対しそれぞれ制御を行う。つまり、リミッタ１０３に対し−４ｄＢの出力信号制限が設定され（Ｓ１０４）、電源部１１１に対し２．０Ｖ電圧が設定される（Ｓ１０５）。
【００３１】
ステップＳ１０６では、送受切替スイッチが送信可能となるよう切替えられる。
【００３２】
ステップＳ１０７では、送信データは符号化器１０１に入力され、変調器１０２を経てリミッタ１０３に入力された信号の出力電力値の高い一部の信号はリミッタ１０３からの出力値が信号の他の部分に比較し抑圧された値で出力される。そして、リミッタ１０３から出力された信号は２．０Ｖの電源電圧で動作するパワーアンプ１０４に入力され増幅される。さらに、パワーアンプ１０４からの出力は送受切替えスイッチ１０５およびフィルタ１０６を経由しアンテナ１０７から空中へ送信される。
【００３３】
ステップＳ１０８では、送受切替スイッチが受信可能となるよう切替えられ、通信装置１００は受信状態になり、ステップＳ１０１の信号生成の監視状態に戻る。送信データが生成するたびに、以上のステップＳ１０１〜Ｓ１０８が実行される。
【００３４】
なお、図４を詳細に見ると、電源電圧が高い場合には入力に対して利得の変動は小さく、リニアな利得が得られているが、電源電圧が低いと入力が大きくなるにつれて利得が小さくなる（ノンリニアな）傾向が顕著になっていることが分かる。そのため、利得が入力に対して一定でない場合には高調波歪が発生するため、電源電圧を下げることによるノンリニア特性の傾向が少ないパワーアンプを用いることがより好適である。また、歪が所望の特性に影響を与えない範囲で電源電圧を下げることが望ましい。
【００３５】
以上説明のように本実施形態によれば、ＯＦＤＭ無線通信装置である通信装置１００において、一次変調と符号化率にあわせてＰＡＲを選択（パワーアンプ１０４へのピーク入力信号をリミッタ１０３により制限）し、同時にパワーアンプの電源電圧を下げることによって、無線装置のパワーアンプ１０４の消費電力を下げることが容易となる。
【００３６】
（第２実施形態）
第２の実施形態の通信装置であるステーション２０１（ＳＴＡ）の装置構成は第１の実施形態の装置構成（図３）と同様であるが、以下の点で第１の実施形態と異なる。ＳＴＡ２０１は、受信機であるアクセスポイント２０２（ＡＰ）における「信号品質（ＳＮ比）を尋ねるコマンド」を利用可能であり、ＡＰ２０２がＳＮ比情報をＳＴＡ２０１に返信することで、ＳＴＡ２０１がＡＰ２０２におけるＳＮ比情報を利用し早期に一次変調方式と符号化率を決定し、ＳＴＡ２０１自身に設定することが可能となっている。
【００３７】
＜装置の動作＞
図９に本実施形態の無線ＬＡＮベースの通信装置において、ステーション２０１（ＳＴＡ）がインフラストラクチャモードのアクセスポイント２０２（ＡＰ）との間でデータ転送を行う場合において信号対雑音電力比（ＳＮ比）が低下（１３ｄＢ）している環境での手順を示す。なお、図１０は上記手順における通信シーケンスを示している。
【００３８】
まず、初期状態のＳＴＡ２０１においては、あらかじめ所定の動作手順（ここではＩＥＥＥ８０２．１１ａの仕様）に従い、符号化率および変調方式が、ＣＰＵ１１０により符号化器１０１および変調器１０２に対し所定の符号化率および変調方式が設定されている。なお、ここでは、一次変調がＱＰＳＫで符号化率Ｒ＝３／４に設定されているとする。また、リミッタ１０３は初期状態におけるピークアベレージ比の値（ここでは１１ｄＢ）が設定されており、リミッタ１０３に入力された信号は、そのままリミッタ１０３から出力される。さらに、送受切替えスイッチ１０５は送信時には送信回路側、受信時には受信回路側に時分割接続するよう構成されており、受信時にはアンテナで受信した信号は受信回路側へ伝送され、送信時には送信回路内の増幅回路で増幅された信号はアンテナ１０７へ伝送される。また、ＲＯＭ１０８には、例えば図７に示すような、一次変調方式と符号化率の組み合わせにおけるピークアベレージ比の値および電源電圧の値が設定されたテーブルが記憶されている。
【００３９】
ステップＳ２０１では、ＳＴＡ２０１において送信されるべき信号の生成を監視している。信号が生成されるとステップＳ２０２に進み、生成されないと信号生成の監視を続ける。
【００４０】
ステップＳ２０２では、ＳＴＡ２０１は「信号品質（ＳＮ比）を尋ねるコマンド」を通信相手であるＡＰ２０２に送信し、ＡＰ２０２からの応答からＡＰ２０２におけるＳＮ比情報を取得する。なおこの時、低いＳ／Ｎでも伝送可能な低い通信レートでの通信が望ましい。
【００４１】
ステップＳ２０３では、ステップＳ２０２で取得したＡＰ２０２におけるＳＮ比情報（１３ｄＢ）から、そのＳＮ比での最大の通信レート（ここでは３６Ｍｂｐｓ）となる一次変調方式（ここでは１６ＱＡＭ）と符号化率（ここでは３／４）を選択し、符号化器１０１および変調器１０２に設定する。
【００４２】
ステップＳ２０４では、ＣＰＵ１１０は、ステップＳ２０３で選択された符号化率および変調方式に対応したピークアベレージ比の値および電源電圧の値をＲＯＭ１０８に記憶されているテーブルから選択する。
【００４３】
その後、ＣＰＵ１１０は、ステップＳ２０４で取得したピークアベレージ比の値（ここでは７ｄＢ）および電源電圧の値（ここでは２．０Ｖ）となるよう、リミッタ１０３および電源部１１１に対しそれぞれ制御を行う。つまり、リミッタ１０３に対し−４ｄＢの出力信号制限が設定され（Ｓ２０５）、電源部１１１に対し２．０Ｖ電圧が設定される（Ｓ２０６）。
【００４４】
ステップＳ２０７では、送受切替スイッチが送信可能となるよう切替えられる。
【００４５】
ステップＳ２０８では、送信データは符号化器１０１に入力され、変調器１０２を経てリミッタ１０３に入力された信号の出力電力値の高い一部の信号はリミッタ１０３からの出力値が信号の他の部分に比較し抑圧された値で出力される。そして、リミッタ１０３から出力された信号は２．０Ｖの電源電圧で動作するパワーアンプ１０４に入力され増幅される。さらに、パワーアンプ１０４からの出力は送受切替えスイッチ１０５およびフィルタ１０６を経由しアンテナ１０７から空中へ送信される。
【００４６】
ステップＳ２０９では、送受切替スイッチが受信可能となるよう切替えられ、ＳＴＡ２０１は受信状態になり、ステップＳ２０１の信号生成の監視状態に戻る。送信データが生成するたびに、以上のステップＳ２０１〜Ｓ２０９が実行される。
【００４７】
なお、図１０における通信シーケンスでは、ＳＴＡ２０１はデータ送信に先立ち、ＲＴＳ／ＣＴＳ手順を用いてＡＰ２０２の存在を確認している。
【００４８】
図１１は通常の無線ＬＡＮにおけるＳＮ比が低下している際の通信シーケンスを示している。ＳＴＡ３０１はＲＴＳ／ＣＴＳ手順でＡＰ３０２の存在を確認した後、データの送信は最高レート（５４Ｍｂｐｓ）から送り、ＡＰ３０２から肯定応答（Ａｃｋ）信号が返ってこないようなら、データレートを徐々に落として（５４→４８→３６Ｍｂｐｓ）再送を繰り返し、Ａｃｋ信号が返ってくるのを待つか、過去の履歴からデータレートを決めて送出する。通信相手からの肯定応答が返るってくると、ＳＴＡ３０１は自身の一次変調方式と符号化率を決定でき、第１実施形態で示した動作に移行することになる。その他、接続時にパケットロス等による再送発生が発生し、通信効率の低下が発生することになる。
【００４９】
なお、本実施形態では受信信号品質の情報としてＳＮ比を用いているが搬送波対雑音電力比（ＣＮ比）やビット・エラー率（ＢＥＲ）等でも構わない。また、本実施形態においてはアクセスポイントＡＰとステーションＳＴＡ間の無線通信における例を示したが、ステーションＳＴＡがアクセスポイントＡＰを介して他のステーションと通信する時は、ステーションＳＴＡとアクセスポイントＡＰ間か、アクセスポイントＡＰと他のステーション間のＳＮ比の低い方に対応したデータレートとＰＡＲを決定してもよい。
【００５０】
以上説明のように本実施形態によれば、ＯＦＤＭ無線通信装置であるＳＴＡ２０１はＡＰ２０２のＳＮ比の情報を利用して、自身の一次変調方式と符号化率を早期に決定可能となると共に、接続時におけるパケットロス等による再送発生の抑制が可能であり通信効率の向上も可能となる。また、対応するＰＡＲを選択することによって、パワーアンプの消費電力を下げることも可能となる。
【図面の簡単な説明】
【００５１】
【図１】８０２．１１ａパケットにおける送信電力強度図ある。
【図２】各一次変調方式における電力値の分布図である。
【図３】本実施形態における送信系のブロック図である。
【図４】パワーアンプにおける各電源電圧に対する利得特性を示した図である。
【図５】16QAM R=3/4(36Mbps)における各ＰＡＲにおけるＳ／Ｎ−ＢＥＲ特性図である。
【図６】QPSK R=3/4(18Mbps)における各ＰＡＲにおけるＳ／Ｎ−ＢＥＲ特性図である。
【図７】一次変調方式と符号化率の組み合わせにおけるＰＡＲおよび電源電圧の最適値の例を示した図である。
【図８】第１実施形態の装置の動作フローチャートである。
【図９】第１実施形態の装置の動作フローチャートである。
【図１０】第２実施形態の通信装置における通信シーケンスである。
【図１１】無線ＬＡＮで再送が発生している際の通信シーケンスである。
【図１】
2006173675.tif 000003
【図２】
2006173675.tif 000004
【図３】
2006173675.tif 000005
【図４】
2006173675.tif 000006
【図５】
2006173675.tif 000007
【図６】
2006173675.tif 000008
【図７】
2006173675.tif 000009
【図８】
2006173675.tif 000010
【図９】
2006173675.tif 000011
【図１０】
2006173675.tif 000012
【図１１】
2006173675.tif 000013